(57)【要約】【課題】叩打又は振動により速やかに撮影を行う、叩打トリガーの撮像装置を提供する。【解決手段】叩打トリガーの撮像装置は、中央処理部１、撮像部２、被叩打部３、記憶部４及び給電部５を備える。撮像部２は、中央処理部１と電気的に接続される。被叩打部３は、被叩打体３１及び振動検出ユニット３２を含む。振動検出ユニット３２は、被叩打体３１に固定されるとともに中央処理部１と電気的に接続され、撮像部２を起動する。記憶部４は、中央処理部１と電気的に接続され、撮像部２がキャプチャした画像を記憶する。給電部５は、中央処理部１と電気的に接続される。中央処理部１は、叩打回数計算機１１又は叩打力計算機１２を含む。記憶部４は、内部記憶体４１及び外部記憶体４２のうちの少なくとも何れか１つを含む。給電部５は、内部電源５１及び外部電源５２のうちの少なくとも何れか１つを含む。振動検出ユニット３２は重力センサ３２１である。【選択図】図１
0003199407.tif 000002
【実用新案登録請求の範囲】
【請求項１】
中央処理部、撮像部、被叩打部、記憶部及び給電部を備えた叩打トリガーの撮像装置であって、
前記撮像部は、前記中央処理部と電気的に接続され、
前記被叩打部は、被叩打体及び振動検出ユニットを含み、前記振動検出ユニットは、前記被叩打体に固定されるとともに前記中央処理部と電気的に接続され、前記撮像部を起動し、
前記記憶部は、前記中央処理部と電気的に接続され、前記撮像部がキャプチャした画像を記憶し、
前記給電部は、前記中央処理部と電気的に接続されることを特徴とする叩打トリガーの撮像装置。
【請求項２】
前記中央処理部は、叩打回数計算機を含むことを特徴とする請求項１に記載の叩打トリガーの撮像装置。
【請求項３】
前記中央処理部は、叩打力計算機を含むことを特徴とする請求項１又は２に記載の叩打トリガーの撮像装置。
【請求項４】
前記記憶部は、内部記憶体及び外部記憶体のうちの少なくとも何れか１つを含むことを特徴とする請求項１又は２に記載の叩打トリガーの撮像装置。
【請求項５】
前記記憶部は、内部記憶体及び外部記憶体のうちの少なくとも何れか１つを含むことを特徴とする請求項３に記載の叩打トリガーの撮像装置。
【請求項６】
前記給電部は、内部電源及び外部電源のうちの少なくとも何れか１つを含むことを特徴とする請求項１又は２に記載の叩打トリガーの撮像装置。
【請求項７】
前記給電部は、内部電源及び外部電源のうちの少なくとも何れか１つを含むことを特徴とする請求項３に記載の叩打トリガーの撮像装置。
【請求項８】
前記振動検出ユニットは重力センサであることを特徴とする請求項１又は２に記載の叩打トリガーの撮像装置。
【請求項９】
前記振動検出ユニットは重力センサであることを特徴とする請求項３に記載の叩打トリガーの撮像装置。
【考案の詳細な説明】
【技術分野】
【０００１】
本考案は、叩打トリガーの撮像装置に関し、特に、叩打又は振動によりライブ画像をキャプチャする、叩打トリガーの撮像装置に関する。
【背景技術】
【０００２】
一般の撮像装置（例えば、携帯電話、デジタルカメラ、デジタルビデオカメラ、ドライブレコーダー、ライフレコーダーなど）を使用して撮像する場合、ユーザは、まず、電源をオンした後に写真撮影又はビデオ撮影のボタンを押さなければならず、撮影に時間がかかる上、移動している状況、突発的なイベントなどの大切な場面を撮影し損ねる虞があった。そのため、叩打又は振動により速やかに撮影を行う技術が求められていた。
【考案の概要】
【考案が解決しようとする課題】
【０００３】
本考案の目的は、叩打又は振動により速やかに撮影を行う、叩打トリガーの撮像装置を提供することにある。
【課題を解決するための手段】
【０００４】
上記課題を解決するために、本考案は、中央処理部、撮像部、被叩打部、記憶部及び給電部を備えた叩打トリガーの撮像装置であって、前記撮像部は、前記中央処理部と電気的に接続され、前記被叩打部は、被叩打体及び振動検出ユニットを含み、前記振動検出ユニットは、前記被叩打体に固定されるとともに前記中央処理部と電気的に接続され、前記撮像部を起動し、前記記憶部は、前記中央処理部と電気的に接続され、前記撮像部がキャプチャした画像を記憶し、前記給電部は、前記中央処理部と電気的に接続されることを特徴とする叩打トリガーの撮像装置が提供される。
【０００５】
前記中央処理部は、叩打回数計算機を含むことが好ましい。
【０００６】
前記中央処理部は、叩打力計算機を含むことが好ましい。
【０００７】
前記記憶部は、内部記憶体及び外部記憶体のうちの少なくとも何れか１つを含むことが好ましい。
【０００８】
前記記憶部は、内部記憶体及び外部記憶体のうちの少なくとも何れか１つを含むことが好ましい。
【０００９】
前記給電部は、内部電源及び外部電源のうちの少なくとも何れか１つを含むことが好ましい。
【００１０】
前記給電部は、内部電源及び外部電源のうちの少なくとも何れか１つを含むことが好ましい。
【００１１】
前記振動検出ユニットは重力センサであることが好ましい。
【００１２】
前記振動検出ユニットは重力センサであることが好ましい。
【考案の効果】
【００１３】
本考案の叩打トリガーの撮像装置は、叩打又は振動によりライブ画像をキャプチャする。
【図面の簡単な説明】
【００１４】
【図１】本考案の一実施形態に係る叩打トリガーの撮像装置を示すブロック図である。
【考案を実施するための形態】
【００１５】
以下、本考案の実施形態について図に基づいて説明する。なお、これによって本考案が限定されるものではない。
【００１６】
図１を参照する。図１に示すように、本考案の一実施形態に係る叩打トリガーの撮像装置は、中央処理部１、撮像部２、被叩打部３、記憶部４及び給電部５を含み、携帯電話、デジタルカメラ、デジタルビデオカメラ、ドライブレコーダー、ライフレコーダーなどに応用する。中央処理部１は、その他電子部品が伝送する画像データその他の電子データを計算処理し、その他の電子部品へ伝送する。撮像部２は、中央処理部１と電気的に接続される。撮像部２は、電荷結合素子（Ｃｈａｒｇｅ  Ｃｏｕｐｌｅｄ  Ｄｅｖｉｃｅ：ＣＣＤ）又は相補型ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）でもよく、外部画像をキャプチャして生成した静止画像データ又は動画像データを中央処理部１へ伝送して計算処理する。被叩打部３は、被叩打体３１及び振動検出ユニット３２（例えば、重力センサ（Ｇ−ｓｅｎｓｏｒ）３２１）を含む。被叩打体３１は、本考案の叩打トリガーの撮像装置のケース上の何れか１つの領域でもよく、ケースの側部又は背部の何れか１つの領域は叩打するのに都合が良い。振動検出ユニット３２は、被叩打体３１内に固定されるとともに、中央処理部１と電気的に接続されて撮像部２を起動させる。被叩打体３１は、硬度が大きな物体であることが好ましい。この構成により、被叩打体３１の表面が叩打されると、叩打力が被叩打体３１を介して振動検出ユニット３２へ確実に伝達され、叩打力データを正確に計測した後、叩打力データが中央処理部１へ転送される。中央処理部１は、その叩打力データに基づいて撮像部２を確実に起動させ、外部画像をキャプチャする。記憶部４はメモリーである。記憶部４は、中央処理部１と電気的に接続され、撮像部２がキャプチャした画像データその他の電子データを記憶する。給電部５は、中央処理部１と電気的に接続され、上述した電子部品全てに給電を行う。
【００１７】
上述したことから分かるように、本考案の叩打トリガーの撮像装置は、オフ状態、スタンバイ状態又はオン状態にあるときに、被叩打体３１が叩打されると撮像部２を直接起動し、外部のライブ画像（例えば、移動している状況又は突発的なイベント）をキャプチャする。また、本考案の叩打トリガーの撮像装置は、振動すると、振動検出ユニット３２により撮像部２が直接起動され、撮像部２により外部のライブ画像をキャプチャする。
【００１８】
図１を参照する。図１に示すように、上述の叩打トリガーの撮像装置において、中央処理部１は、叩打回数計算機１１を含む。上述したことから分かるように、本考案の叩打トリガーの撮像装置は、叩打回数計算機１１により叩打回数を計算し、様々な機能を行う。例えば、１回叩打されると写真撮影を行い、２回叩打されるとビデオ撮影を行う。或いは、１回叩打されるとビデオ撮影を行い、２回叩打されると写真撮影を行う。
【００１９】
図１を再び参照する。図１に示すように、本考案の一実施形態に係る叩打トリガーの撮像装置の中央処理部１は叩打力計算機１２を含む。この構成により、本考案の一実施形態に係る叩打トリガーの撮像装置は、叩打力計算機１２を介して叩打力を計算し、例えば、叩打パワーが小さいときに写真撮影を行い、叩打パワーが大きいときにビデオ撮影を行う。或いは、叩打パワーが小さいときにビデオ撮影を行い、叩打パワーが大きいときに写真撮影を行うなど、様々な機能を行ってもよい。叩打力の大きさは所定の数値範囲に設定してもよい。
【００２０】
図１を参照する。図１に示すように、上述した叩打トリガーの撮像装置において、記憶部４は、内部記憶体４１又は外部記憶体４２（例えば、フラッシュメモリードライブ又はメモリーカード）、あるいはそれらの組み合わせを含んでもよい。
【００２１】
図１を再び参照する。図１に示すように、上述した叩打トリガーの撮像装置において、給電部５は、内部電源（例えば、二次電池）５１又は外部電源（例えば、商用電源のプラグ）５２、あるいはそれらの組み合わせを含んでもよい。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  中央処理部、２  撮像部、３  被叩打部、４  記憶部、５  給電部、１１  叩打回数計算機、１２  叩打力計算機、３１  被叩打体、３２  振動検出ユニット、４１  内部記憶体、４２  外部記憶体、５１  内部電源、５２  外部電源、３２１  重力センサ。
【図１】
0003199407.tif 000003